(57)【特許請求の範囲】
【請求項１】
スイッチ本体と、該スイッチ本体に着脱可能に装着され揺動可能に軸支された操作板と、スイッチ本体の取付枠と、該取付枠を覆うプレートとからなるスイッチ装置において、
上記操作板を操作しない状態においては中立状態を保持し、操作板の左右両端部を交互に押圧操作することにより反転動作する開閉機構と、次回の操作方向を選択的に指示する操作方向及び上記開閉機構の開閉状態の何れか一方又は両方を表示する表示手段とを備えることを特徴とするスイッチ装置。
【請求項２】
スイッチ本体と、該スイッチ本体に着脱可能に装着され揺動可能に軸支された操作板と、スイッチ本体の取付枠と、スイッチの取付枠を覆うプレートからなるスイッチ装置において、
上記操作板を操作しない状態においては中立状態を保持し、操作板の左右両端部を交互に押圧操作することにより反転動作する開閉機構と、次回の操作方向を選択的に指示する操作方向及び上記開閉機構の開閉状態の何れか一方又は両方を表示する表示手段を設けるとともに、次回の操作方向ではない側の押圧操作を不能にする操作防止機構を備えることを特徴とするスイッチ装置。
【請求項３】
前記表示手段を傾きによって表示する傾動反転表示機構で構成することを特徴とする請求項１又は２記載のスイッチ装置。
【請求項４】
前記傾動反転表示機構の傾動軸心を前記操作板の揺動軸心と同一軸心とすることを特徴とする請求項３記載のスイッチ装置。
【請求項５】
前記表示手段は、発光することにより操作方向を表示する発光表示部と、次回の操作方向である側の発光表示部を発光させる発光制御部とを有することを特徴とする請求項１、２又は３記載のスイッチ装置。
【請求項６】
前記操作方向を表示する表示手段を前記操作板の横方向中央部に設けたことを特徴とする請求項５記載のスイッチ装置。
【請求項７】
前記操作防止機構は、前記操作板の押圧操作によって、押圧操作側に選択的にスライド移動し、操作板の押圧操作を不能にするスライドロック体を備えることを特徴とする請求項２記載のスイッチ装置。
【請求項８】
前記取付枠は絶縁取付枠と、補強枠とからなる請求項１又は２記載のスイッチ装置。
【発明の詳細な説明】
【０００１】
【発明の属する技術分野】
本発明は、操作板を押圧することにより開閉機構を作動させるスイッチ装置であって、特に次回の操作方向を知らせることのできるスイッチ装置に関する。
【０００２】
【従来の技術】
従来、スイッチ装置としては、本出願人により出願された特開平２−２９１６２０号公報に開示されているものがある。このスイッチ装置は、操作板の一端を押圧して反転させると、操作板に設けられた押圧部によって転換子の受圧部が押圧され、これにより、操作板の反転角度が拡大されて転換子が同一方向に大きく反転される。この転換子の反転により転換子が支持体との間に反転可能に支持した可動接触子が反転させられ、可動端子に設けられた可動接点が固定端子に設けられた固定接点に接続または離反して電気回路の接続・遮断がなされるように構成されているものである。このスイッチ装置は操作板が大きいため、操作がし易いこと、豪華に見えることなど消費者の購入意欲を喚起できるものであった。
【０００３】
【発明が解決しようとする課題】
しかしながら、上述のスイッチ装置では転換子が上記操作板と連動して作動する為、転換子が反転している状態では操作板も転換子と同一方向に反転状態を維持していることになり、複数の操作板が並設されている場合は、スイッチ毎に入り切りが異なっていると、各操作板の反転方向が異なることになり見栄えがよくない問題があった。
【０００４】
そこで、ピアノハンドル式スイッチ等の操作板の不揃いを解消したスイッチ装置が提案されているが、その場合にはＯＮ・ＯＦＦまたは強・弱等の状態表示が使用者に分かりやすく適切になされる必要があった。
【０００５】
本発明は上記問題点を解消し、操作板の次回の押圧操作方向、及びスイッチの状態を容易に確認することができ、確実にスイッチの切り換えを行うことのできる操作性に優れたスイッチ装置を提供することをその課題とする。
【０００６】
【課題を解決するための手段】
前記課題を解決するため、本発明に係るスイッチ装置は、スイッチ本体と、該スイッチ本体に着脱可能に装着され揺動可能に軸支された操作板と、スイッチ本体の取付枠と、該取付枠を覆うプレートとからなるスイッチ装置において、上記操作板を操作しない状態においては中立状態を保持し、操作板の左右両端部を交互に押圧操作することにより反転動作する開閉機構と、次回の操作方向を選択的に指示する操作方向及び上記開閉機構の開閉状態の何れか一方又は両方を表示する表示手段とを備えることを特徴とする。
【０００７】
なお、スイッチ本体と、該スイッチ本体に着脱可能に装着され揺動可能に軸支された操作板と、スイッチ本体の取付枠と、スイッチの取付枠を覆うプレートからなるスイッチ装置において、上記操作板を操作しない状態においては中立状態を保持し、操作板の左右両端部を交互に押圧操作することにより反転動作する開閉機構と、次回の操作方向を選択的に指示する操作方向及び上記開閉機構の開閉状態の何れか一方又は両方を表示する表示手段を設けるとともに、次回の操作方向ではない側の押圧操作を不能にする操作防止機構を備えてもよい。
【０００８】
また、前記操作方向を表示する表示手段を傾動反転表示機構で構成し、表示手段の傾きからスイッチの作動状態を判断できるようにてもよい。
【０００９】
なお、前記操作板の揺動軸心と、前記傾動反転表示機構の傾動軸心とを同一軸心に設け、揺動方向を同じ方向にすることによりスイッチの作動状態と操作板の押圧操作方向とを関連づけることが好ましい。
【００１０】
そして、前記操作方向を表示する表示手段は発光することにより操作方向を視認させる発光表示部で構成され、次回の操作方向である側の発光表示部を発光させる発光制御部を設け、発光する側が次回の押圧操作側であることがわかるようにしてもかまわない。
【００１１】
さらに、前記操作方向を表示する表示手段を前記操作板の横方向中央部に設け、表示手段が認識しやすいようにしてもよい。
【００１２】
さらにまた、前記操作防止機構は、前記操作板の押圧操作によって、押圧操作側の操作板の下側に選択的にスライド移動し、操作板の押圧操作を妨げるスライドロック体を備え、前回押圧操作した側を連続して押圧できないようにすることが好ましい。
【００１３】
なお、前記取付枠は絶縁取付枠と、補強枠とからなり、スイッチ本体を補強枠から電気的に絶縁することが好ましい。
【００１４】
【発明の実施の形態】
以下、図面によって本発明に係るスイッチ装置について説明する。図１（ａ）（ｂ）（ｃ）はスイッチ装置Ａの正面図、底面図及び右側面図を示し、図２はスイッチ装置Ａの分解斜視図を示す。このスイッチ装置Ａはスイッチ本体１と、このスイッチ本体１を取り付ける取付枠２と、この取付枠２を覆う中央が開口したプレート４と、スイッチ本体１の開閉機構Ｂを駆動する操作板５とで主に構成され、操作板５のほぼ中央に形成された開口部６から、スイッチ本体１に設けられた表示体７の上部が露出し、開閉機構Ｂの作動状態を視認できるように構成されているものである。
【００１５】
図３は、スイッチ本体１の分解斜視図を示し、図２及び図３において、符号１０はスイッチ本体１を構成する器体で、この器体１０は開閉機構Ｂ及びその他の部品を収納する為の上部が開口した箱状のケース本体１１と、このケース本体１１の開口部を閉じる蓋体１２と、蓋体１２の上部に取り付けられるカバー１３とからなり、ケース本体１１の両側面に形成された係止突部１１ａに蓋体１２に形成されたフック１２ａを係止させることによりケース本体１１と蓋体１２とが一体になり、蓋体１２の両側面に形成された係止突部１２ｂにカバー１３に形成されたフック１３ａを係止させることにより蓋体１２とカバー１３とが一体になり、全体として箱状の器体１０を構成することができる。そして、蓋体１２には後述する作動子３０の上部を突出させる貫通孔１５が、カバー１３には略長方形の貫通孔１６がそれぞれ形成されている。
【００１６】
そして、図４に示すように、カバー１３の長手方向両側中央には貫通孔１６内に向かって表示体７の傾動軸８４を軸支する表示体軸受８５が形成され、長手方向両側面中央には外方に向かって操作板５を軸支する操作板支軸１１５が形成され、上記表示体軸受８５の軸心と操作板支軸１１５の軸心とは、表示体７と操作板５との揺動方向が同一になるように同一軸心上に形成されている。
【００１７】
ケース本体１１には、図５（ｂ）に示すように、電線が個別に挿入される電線挿入孔１７と、挿入された電線の係止を解除する解除部材１８を操作する為の工具を挿入する工具挿入口１９が下方に開口して形成され、ケース本体１１の内部には上記電線が接続される共通端子２０、固定端子２１及び切換端子２２が配置され、これらの端子に対応すると共に、上記電線挿入孔１７の上部に配置され、挿入された電線を係止すると共に電線と端子とを導通させる押えバネ２３が配置されている。そして、共通端子２０には、スプリング２４で上方に付勢されると共に、可動接触子２５を支持する側面視略Ｖ字状の導電性を有する支持板２６が前方に突出して連結されている。可動接触子２５は、図５（ｂ）上で、左右に反転すると可動接点２５ａが固定端子２１の固定接点２１ａと切換端子２２の切換接点２２ａとに選択的に接触し、電気回路の接続・遮断ができるように構成されている。なお、符号２７、２８は、それぞれ固定端子２１、切換端子２２にボス２１ｂ、２２ｂをカシメることによって固定される接続バネで、後述する発光体６０に接続された接触端子２９ａ、２９ｂにそれぞれ接触するように形成されている。
【００１８】
上記可動接触子２５は、開閉機構Ｂによって作動させられるが、開閉機構Ｂは、作動子３０と、転換子３１と、上記作動子３０を常に中立状態に保つ中立保持手段３２とで構成されている。
【００１９】
作動子３０は、中央に後述する表示体駆動軸６３を挿通させる開口部３５が形成された四角い板状部材で長手方向両端部の下面３６は後述する転換子３１の第１の押圧受部５２を押圧する第１の押圧部を構成し、両側部裏面にそれぞれ形成された一対の押圧部３７は転換子３１の第２の押圧受部５３を押圧する第２の押圧部を構成するとともに、両側面中央には蓋体１２の作動子軸受４０に軸支される支軸４１が側方に突出して形成され、４隅には上方に突出して押圧受突部４５が形成されると共に、転換子３１の上面４隅に上方に突出したガイド片４２の上部を挿通させるガイド穴４３が形成されている。さらに、この作動子３０の長手方向両端部には受け片４４が長手方向に突出して形成されている。この受け片４４は、中立保持手段３２に係合し、この中立保持手段３２よって常に上方に付勢され、作動子３０の支軸４１を蓋体１２の作動子軸受４０に係合させると共に両端から上方に付勢されて作動子３０の中立状態を維持させるものである。
【００２０】
転換子３１は、中央に後述する表示体駆動軸６３を挿通させる開口部５０が形成された枠体で、上面の４隅には上述の作動子３０のガイド穴４３に挿通するガイド片４２が立設され、長手方向両側部の中央下側には上述の可動接触子２５の側部片２５ｂの上端に係合する作動アーム５１が下方に突出して形成され、長手方向両端に形成された斜面からなる第１の押圧受部５２と、長手方向中央の両側部に対をなして側方に突出する第２の押圧受部５３とが形成されるとともに、蓋体１２に形成された転換子軸受５５に揺動可能に支持される支軸５６が側方に突出して形成されている。
【００２１】
上記転換子３１には、ネオン管からなる発光体６０を搭載した発光体ホルダー６１が一体に組み付けられている。この発光体ホルダー６１は、両側部に発光体６０に接続された接触端子２９ａ、２９ｂが設けられ、発光体６０の両側に形成された係合孔６２に上記転換子３１の作動アーム５１を挿通させることにより転換子３１に一体に組み付けられている。さらに、上記発光体ホルダー６１には表示体駆動軸６３が一体に組み付けられている。この表示体駆動軸６３は一対の挟持片６３ａと挟持片６３ａの連結部から上方に突出した軸体６３ｂとからなるもので、挟持片６３ａを発光体６０の両側部に立設させた係合片６４に挟持させることにより、転換子３１と一体になり、転換子３１の揺動を増幅して軸体６３ｂの先端が大きく揺動するようにしたものである。この軸体６３ｂの上部は作動子３０の中央に形成された開口部３５から上方に突出し、後述する表示体７を揺動させる。
【００２２】
中立保持手段３２は付勢バネ支持体６７と、付勢バネであるコイルバネ６８と、バネ受け６９とからなり、図６（ｂ）に示すように、付勢バネ支持体６７の上部に上方に突出して形成された一対の係止片７０を蓋体１２の係止孔７１に挿通させ、係止孔内の切欠き部７１ａに係止させることにより蓋体１２と一体化され、蓋体１２の長手方向両端の内壁に上下方向に形成されたガイド溝７２に添って上下動可能なバネ受け６９に上下方向に形成されたバネ収容凹部６９ａと、付勢バネ支持体６７の上面のバネ受け凹部６７ａとでコイルバネ６８をある程度収縮して支持し、コイルバネ６８の弾発力でバネ受け６９を常に上方に付勢している。このバネ受け６９は、図６（ｃ）に示すように、両側部に形成されたフック７３がガイド溝７２の両側壁のリミッタ７４に当接するまで上昇できる。バネ受け６９の上端は作動子３０の受け片４４にそれぞれ当接し、作動子３０に上部から外力が加えられていない状態では作動子３０を両側から同じ高さに押しあげて中立状態（水平状態）を維持している。
【００２３】
ところで、このスイッチ装置には、使用者にスイッチの状態を知らせる表示手段が設けられている。この表示手段は、次回の操作方向を選択的に指示する操作方向及び上記開閉機構の開閉状態の何れか一方又は両方を表示するするもので、傾動反転表示機構Ｃと発光表示部７９とで構成されている。
【００２４】
傾動反転表示機構Ｃは、図３及び図４に示すように、表示体７と、この表示体７を駆動する表示体駆動軸６３とで構成され、表示体７は不透光性を有する樹脂製の略直方体状で、中央長手方向には下面に開口した長方形の凹部８１が形成され、この凹部８１内には表示体駆動バネ８２が嵌め込まれている。この表示体駆動バネ８２は両側から内方に向かって一対のバネ部８２ａがハの字状に形成され、このバネ部８２ａに、表示体駆動軸６３の先端に係合する駆動軸受８３が挟持されている。そして、表示体７の長手方向両側部の中央には側方に突出して傾動軸８４が形成され、この傾動軸８４がカバー１３の表示体軸受８５に揺動可能に軸支されている。上記バネ部８２ａは表示体駆動軸６３が揺動し、駆動軸受８３をスライドさせる際、撓むことによって駆動軸受８３のスライド運動と、表示体７の揺動運動とを円滑にリンクし、駆動軸受８３のスライド運動を表示体７の揺動に変換させることができる。
【００２５】
発光表示部７９は、上記表示体７の長手方向両端部に上下に貫通して形成された貫通孔７８ａ、７８ｂに嵌め込まれる２つのフード７９ａ、７９ｂで構成され、このフード７９ａ、７９ｂは赤色や緑色で透光性を有するアクリルなどの樹脂で、発光制御部８６によってフード７９ａ、７９ｂの何れか一方が選択的に発光させられるように構成されているものである。この発光制御部８６は、表示体７の下方に配置され、器体１０内に配置された発光体６０の光を選択的にフード７９に照射する透光体で構成され、この透光体（発光制御部）８６は２組のプリズムで構成され、発光体６０から照射された光を４５度の粗面８６ａで透光体８６の内部に向かって水平方向に屈折させ、更に４５度の鏡面８６ｂで上方に向かって屈折させて上面に形成された２つの投光面８７ａ、８７ｂからそれぞれ上方を照射するように形成されているものである。
【００２６】
なお、符号８８は、投光面８７以外の平坦な面に貼着され、余計な光を上方に発散させないための不透光性を有する遮光板である。この遮光板は印刷技術による遮光層で構成することもできる。そして、透光体８６は長手方向両端の両側面に形成された係合溝８９が、カバー１３の両端からそれぞれ中央に向かって突出した一対の係合縁９０にスライド可能に係合し、中央部に上下に貫通した貫通孔９１に上述の表示体駆動軸６３の軸体６３ｂが挿通し、転換子３１の揺動に連動してカバー１３の上面を係合縁９０に案内されて転換子３１の揺動方向と同一方向にスライド移動可能に配置されている。
そして、投光面８７ａ、８７ｂ間の距離は透光体８６がスライド移動した時、フード７９ａの下方に投光面８７ａが位置するか、フード７９ｂの下方に投光面８７ｂが対応するように形成されている。
【００２７】
操作板５は、図７及び図８に示すように、長方形の板状で、中央には表示体７を露出させる開口部６が形成されるとともに、操作板５の機能を説明するネームカード９５を外部から視認させる為の窓９６が形成されている。この窓９６には、裏面の周囲に不透光の印刷を施した透明なフィルム（図示せず）を表面側に成形時に一体化して不透光の枠部９７ａが設けられ、中央部分が透明なネームホルダー９７を、両端部に形成された係合突部９７ｂが上記窓９６の両側部に形成された段部９６ａに形成された係合穴９６ｂに係合するように上面から嵌め込み、超音波溶着で段部９６ａに形成された溶着突起９６ｃをネームホルダー９７に溶着することにより、窓９６を塞ぐようにネームホルダー９７を操作板５に一体化することができる。なお、上記枠部９７ａは、溶着部分など余分なものが外側から視認できないように遮蔽するものである。
【００２８】
ネームカード９５は、予め玄関、廊下などの場所の名称が表記されているもので、スライド扉９８を閉じることによりネームホルダー９７とスライド扉９８の間に収容されるものである。スライド扉９８は、図８に示すように、方形の板状で両側面には係合縁１００、１０１が形成され、窓の内壁面に形成されたガイド縁１０２にガイドされてスライド移動して開閉することにより、ネームカード９５の交換を容易に行うことができるようにしたものである。係合縁１００は、ガイド縁１０２に連設した抜け止め１０３に係合し、一旦窓を塞いだ状態から簡単に抜けないように係止されている。なお、符号１０４は、長穴で、係合縁１００が抜け止め１０３を乗り越える際撓みを生じて、スライド扉９８をスムーズにスライドさせる為のものである。そして、スライド扉９８の裏面には支持バネ１１０と、押圧突部１１１と、回動阻止突部１１２とが設けられている。
【００２９】
一方、操作板５の裏面には、開口部６を挟んで、カバー１３に形成された操作板支軸１１５に係合させることにより、この操作板支軸１１５を中心に操作板５を上下に回動させることができる揺動軸受１１６が形成されている。この揺動軸受１１６は一対の挟持片から構成され、操作板支軸１１５に係脱可能に構成されている。
【００３０】
そして、スライド扉９８に設けられた支持バネ１１０と、押圧突部１１１と、回動阻止突部１１２と同じ支持バネ１１０と、押圧突部１１１と、回動阻止突部１１２とが、上記揺動軸受１１６を中心に設けられている。
【００３１】
支持バネ１１０は、内部に向かって操作板５の裏面から離れるように斜めに形成された板バネで、操作板５及びスライド扉９８に形成されたボス１１７に取り付けた後、カシメることにより操作板５及びスライド扉９８に固定され、操作板５をスイッチ本体１に装着した状態では支持バネ１１０の先端は常にカバー１３の上面に当接し、操作板５の両側部を下方から同時に上方に突き上げるように作用し、操作板の中立状態を補助している。
【００３２】
押圧突部１１１は上述の作動子３０の上面４隅に立設した押圧受突部４５に対応し、操作板５を揺動させた時、下動する側の押圧突部１１１が押圧受突部４５を押圧し、作動子３０を操作板５と同一方向に支軸４１を中心に揺動させるものである。
【００３３】
ところで、上述の操作板５の下方には、前回押圧した側を再度押圧しても操作板５が同一方向に回動しないように阻止するための操作防止機構が設けられている。この操作防止機構は蓋体１２とカバー１３との間の空間を、操作板５の揺動方向と同一方向にスライド可能に配置されたスライドロック体１２０で構成されている。このスライドロック体１２０は、略方形の枠体で、長手方向両側部には作動バネ１２１が設けられている。この作動バネ１２１は、側面視略八の字状に両端が斜め下方に伸びた板バネで、ボス１２２をカシメることによってスライドロック体１２０上に固定されているもので、この作動バネ１２１の先端は、それぞれ作動子３０のガイド穴４３から上方に突出した転換子３１のガイド片４２の上部に係合し、転換子３１が揺動するとガイド片４２によって作動バネ１２１が揺動方向に押圧され、この作動バネ１２１を介して押圧されたスライドロック体１２０が蓋体１２とカバー１３との間の空間を転換子３１の揺動方向と同一の方向にスライド移動させることができる。移動が完了すると、スライド方向側の端辺１２０ａは上述の操作板５の回動阻止突部１１２の直下に位置し、回動阻止突部１１２の先端が端辺１２０ａの上面に当接し、操作板５の押し操作を阻止するように構成されている。
【００３４】
次に、スイッチ本体を取り付ける取付枠について説明する。図２は、取付枠２の分解斜視図を示し、この取付枠２は、樹脂製の絶縁取付枠１２５と金属製の補強枠１２６とからなり、絶縁取付枠１２５はスイッチ本体Ａを３個並接して貫通できる大きさの長方形の開口部１２７が中央に形成され、開口部１２７の長手方向の内壁面には、スイッチ本体Ａを取付ける際の位置決め用の位置決め突部１２９がスイッチ本体Ａの幅と等しい間隔で内方に突出して形成されるとともに、スイッチ本体Ａの蓋体１２に形成された係止突部１３０を係合させる係合孔１３１が形成されている（図１０参照）。さらに、絶縁取付枠１２５の長手方向両端部は補強枠１２６との相対的な位置決めをするための傾斜面１２５ａが形成されている。さらに、開口部１２７の長手方向両側にはスイッチ操作時に操作板５に加えられる押圧に対し、操作板５を下側から支える山形の突起１３２が形成されている。
【００３５】
補強枠１２６は、内側を四角錐台状に膨出させた膨出部１２６ａを有し、その膨出部１２６ａの中央には絶縁取付枠１２５に固定された３個のスイッチ本体の上部を突出させる四角形の開口部が形成されている。そして、長手方向両端近傍には壁面内に配置された埋め込みボックス（図示せず）に固定する為の取付ネジを挿通させる長孔１３３が形成されるとともに、四隅にはプレートを係合固定する係止孔１３４が形成されている。また、上記膨出部１２６ａの内側斜面１２６ｂは絶縁取付枠１２５の斜面１２５ａに当接するように形成され、斜面同士を当接させることにより絶縁取付枠１２５と補強枠１２６との位置決めがなされ、固定ネジ１４５で絶縁取付枠１２５に形成された取付孔（図示せず）を貫通させ補強枠１２６のネジ孔１２８に螺合させることにより一体化されている。
【００３６】
プレート４は、取付枠２を覆い、操作板５のみを露出させる樹脂性のカバー部材であって、プレート枠１４０と化粧枠１４１とからなり、プレート枠１４０の中央には操作板５を露出させることのできる開口部１４２が形成され、開口部１４２の長手方向両側には、上述の補強枠１２６の係止孔１３４に係合し、プレート４を補強枠１２６に固定する係止片１４３が下方に突出して形成されている。
【００３７】
次に、スイッチ装置の作動態様について説明する。図１１（ａ）は、転換子３１が右に回動した状態で、作動子３０は両端が中立保持手段３２によって上方に付勢され、作動子軸受４０に支軸４１が支持されて水平状態（中立状態）を維持している状態を示している。操作板５は支持バネ１１０（第２の中立保持手段）とともに押圧突部１１１が、水平状態を維持している作動子３０の押圧受突部軸４５の先端に対応し、中立状態（図１１（ａ）では水平状態）を維持している。
【００３８】
ここで、操作板の一方の端部（図１１（ｂ）では、左側）を押圧すると支持バネ１１０を撓ませながら、操作板５は支軸１１５を中心に左側が下がる方向に回動する。操作板５の下面に突出形成された押圧突部１１１は、作動子３０の押圧受突部４５の先端に当接し、これを押し下げる。（図１１（ｂ）参照）。作動子３０が回動を始めると、作動子３０の両端部の下面（第１の押圧部）３６のうち下動する側の第１の押圧部３６が転換子３１の第１の押圧受部５２を押圧し、転換子３１の回動が始まる。この時、転換子３１の作動アーム５１の先端は、支軸５６を中心に下方に円弧を描きながら回動するので、可動接触子２５の可動接点２５ａは押し下げられながら当接している切換接点２２ａから離れるので、接点同士は擦り合いながら離れることになり、接触面がクリーニングされ、常に接点面を良好な状態に維持することができる。第１の押圧部３６と第１の押圧受部５２との回転軸は異なるため、さらに、操作板５を押し操作すると、第１の押圧部３６に代わって、押圧部３７が第２の押圧受部５３に当接し（図１２（ｃ）（ｄ）参照）、この第２の押圧部５３を押圧して、転換子３１の回動を継続させる（図１２（ｅ）参照）。さらに操作板５を押圧し、作動アーム５１が垂直状態を越えるとスプリング２４の復元力で可動接触子２５が作動アーム５１を突き上げるようにして転換子３１を反転させるとともに、可動接触子２５が反転し、可動接点２５ａは切換接点２２ａに接触することになり、電気回路の切り換えがなされる（図１１（ｄ）参照）。
【００３９】
転換子３１が反転すると、ガイド片４２も回動し、ガイド片４２の先端部がスライドロック体１２０に固定された作動バネ１２１の先端に当接し、この作動バネ１２１を転換子３１の回動方向と同一方向に押圧し、作動バネ１２１を介してスライドロック体１２０を転換子３１の回動方向と同一方向にスライド移動させようとする。しかし、図１１（ｄ）に示すように、スライドロック体１２０の移動に先立って回動阻止突部１１２が既に下動し、先端がスライドロック体１２０の軌道上に位置しているため、スライドロック体１２０の端辺１２０ａは回動阻止突部１１２の側面に当接し、スライド移動を完了することができない。そのため、ガイド片４２に押される側の作動バネ１２１は撓んで、操作板５の押し操作が解除されるまで転換子３１（ガイド片４２）の押圧力を吸収している。
【００４０】
そして、図１１（ｅ）に示すように、操作板５の押圧を解除すると、圧縮されていた中立保持手段３２のコイルバネ６８の弾性で作動子３０を復帰回動させ、押圧受突部４５が操作板５の押圧突部１１１を押し上げるとともに、支持バネ１１０の復元力で操作板５が水平状態（中立状態）に復帰回動する。操作板５が復帰回動すると、回動阻止突部１１２も上動することになり、スライドロック体１２０の移動阻止が解除されるので、作動バネ１２１の復元力でスライドロック体１２０の端辺１２０ａが回動阻止突部１１２の下方に位置するまで移動することができる。この状態では、操作板５の前回押圧した側（図１１（ｅ）において左側）を押圧しようとしても、回動阻止突部１１２の先端がスライドロック体１２０の上面に当接し、操作板５の同一側の押圧を連続してできないように阻止することができ、使用者に、既にスイッチ装置が押し操作されたことを知らせることができる。
【００４１】
そして、図１３に示すように、転換子３１が反転することにより、表示体駆動軸６３も回動することになり、表示体駆動軸６３の先端に係合する駆動軸受８３が表示体７内をスライド移動することにより表示体７が傾動軸８４を中心に反転回動する。この時、ネオン管（発光体）６０の発光する光は透光体８６の内部で屈折し２つの投光面８７ａ、８７ｂから上方を照射しているが、透光体８６はスライド移動し、スライド方向と反対方向に位置する投光面８７ａが表示体７の貫通孔７８ａの下方に位置しているので、投光面８７ａからの光を通過させフード７９ａを照らすことができる。ところで、スライド方向側の投光面８７ｂは表示体７の貫通孔７８ｂの直下を外れ、しかも、遮光板８８が貫通孔７８ｂの直下に位置し、貫通孔７８ｂへの光を遮断しているので、左側のフード７９ｂの照明を行うことができないため、右側のフード７８ａのみが照射されることになり、操作板の次回の押圧方向を発光位置によって使用者に知らせることができる。
【００４２】
上述のように、作動子３０は操作板５によって作動させられ、転換子３１は作動子３０によって作動させられるが、作動子３０と転換子３１とは一体として作動しないため、操作板５によるスイッチの切り替え操作は転換子３１によって記憶され、作動子３０は転換子３１を反転させた後、中立保持手段３２によって、操作板５の押圧が解除されると同時に復帰回動し、中立状態に戻る。作動子３０が復帰回動することにより、操作板５も復帰回動させられ、中立状態に戻ることができ、操作板５を押し操作していない時は、操作板５は中立状態を維持しているが、押された状態は表示体７の傾きによって表示されるとともに、次回押圧操作側の表示体が発光することにより、次回の押圧操作側を目視により確認することができる。さらに、スライドロック体１２０によって押圧操作が阻止されることにより、触覚によっても確認することができる。
【００４３】
なお、図１４（ａ）は、取付枠にスイッチ本体を２個取りつけた場合の操作板及び表示体の状態を示し、玄関のスイッチはフード７９ｂが発光した状態で、操作板５の次回の押圧方向が図面上で左側であることを示し、廊下のスイッチはフード７９ａが発光し、操作板５の次回の押圧方向が図面上で右側であることを示している。図１４（ｂ）は、取付枠にスイッチ本体を３個取りつけた場合の操作板及び表示体の状態を示し、玄関のスイッチはフード７９ｂが発光した状態で、操作板５の次回の押圧方向が図面上で左側であることを示し、廊下のスイッチはフード７９ａが発光し、操作板５の次回の押圧方向が図面上で右側であることを示し、換気扇のスイッチは７９ａが発光し、操作板５の次回の押圧方向が図面上で右側であることを示している。
【００４４】
次に、図１５で透光体の他の例について説明する。符号１５０は、前述の発光体６０の光を表示体７の長手方向両端部に形成された貫通孔７８ａ、７８ｂに誘導する透光体を示し、この透光体１５０は対称に形成された２つの平行四辺形状のプリズム１５１、１５２で構成され、このプリズム１５１、１５２は上面に突出形成された嵌合軸１５３、１５４が２つのプリズムを連結する板状の連結部材１５５の両端部に形成された嵌合孔１５６、１５７にそれぞれ嵌合することにより一体に形成され、プリズム１５１、１５２の両側部にそれぞれ形成された係合溝１５９、１６０がカバー１３に形成された係合縁９０にスライド可能に係合し、連結部材１５５の中央部に上下に貫通して形成された貫通孔１５８に挿通された表示体駆動軸６３の軸体６３ｂが揺動することによってカバー１３の上面をスライド移動できるようになっているものである。
【００４５】
上記透光体１５０は、発光体６０の光を受光面１５１ａ、１５２ａで受光すると、発光体６０の光は水平な受光面１５１ａ、１５２ａからプリズム１５１、１５２内に進入し、４５度の鏡面１５１ｂ、１５２ｂでプリズム内を水平方向に屈折し、さらに４５度の鏡面１５１ｃ、１５２ｃでそれぞれ上方に向かって屈折し、水平な投光面１５１ｄ、１５２ｄから上方を照射するように形成されているもので、図１６（ａ）に示すように、軸体６３ｂの揺動によって透光体１５０が図面上で右方向にスライド移動し、投光面１５１ｄが表示体７の貫通孔７８ｂの下方に位置した時は、発光体６０の光がフード７９ｂを発光させて操作板５の押圧可能な方向は図面上で左側であることを示し、図１６（ｂ）に示すように、軸体６３ｂの揺動によって透光体１５０が図面上で左方向にスライド移動し、投光面１５２ｄが表示体７の貫通孔７８ａの下方に位置した時は、発光体６０の光がフード７９ａを発光させて操作板５の押圧可能な方向は図面上で右側であることを示している。
【００４６】
上述の透光体によれば、受光面からプリズム内に進入した発光体の光は２つの鏡面でロスすることなく屈折して投光面の上方にあるフードを照射し、フードをより明るく発光させることができるので、操作板の押圧可能な方向をより鮮明に指示することができる。
【００４７】
【発明の効果】
請求項１の発明によれば、操作板を押圧操作しない時は操作板は中立状態を維持し、操作板の左右両端部を交互に押圧操作することによりスイッチ本体の開閉機構を反転動作させることができるので、複数の操作板が並設されている場合でも、すべての操作板が中立状態を維持しているので、外観する上で見栄えのよいスイッチ装置を実現することができるとともに、次回の押し操作の方向を、表示体によって容易に認識することができ、見栄えのよさに加え、操作性に優れたスイッチ装置を提供することができる。
【００４８】
請求項２の発明によれば、一旦押圧操作した側の操作板は連続して押圧することができないので、次回の押し操作が表示体の表示に加え、触覚によっても判断することができ、より確実なスイッチの切り換え操作を行うことができる。
【００４９】
請求項３の発明によれば、表示手段を傾動反転表示機構によって実現することにより、開閉機構の状態を表示体の傾きから判断することができるので、中立状態を維持している操作板の状態から次回の押圧操作の方向がわからなくても、表示手段によって容易に把握することができる。
【００５０】
請求項４の発明によれば、操作板の揺動軸心と傾動反転表示機構の傾動軸心とが同一軸心上に設けられているので、操作板の揺動方向と表示体の揺動方向を同一にすることができ、表示体の傾きから次回の操作板の押圧操作側を容易に認識することができる。
【００５１】
請求項５の発明によれば、操作板の次回の押圧操作側を表示手段が光りによって表示しているので、暗い場所であっても次回の押圧操作側を正しく認識することができる。
【００５２】
請求項６の発明によれば、表示手段を操作板の中央に設けたので、表示手段の右半分は操作板の右側に位置し、表示手段の左半分は操作板の左側に位置するので、次回の操作板の押圧操作側を容易に判断することができる。
【００５３】
請求項７の発明によれば、操作板を押圧操作すると、スライドロック体が押圧操作した側の操作板の下側に選択的に移動し、前回押圧した側の操作板の連続押圧操作を不能にすることができ、操作板の誤操作を防止することができる。
【００５４】
請求項８の発明によれば、スイッチ本体は絶縁取付枠に取り付けられ、絶縁取付枠は補強枠を介して壁に取り付けられるため、取り付け部とスイッチ本体とを電気的に分離することができ、安全性の高いスイッチ装置を提供することができる。
【図面の簡単な説明】
【図１】（ａ）（ｂ）（ｃ）は本発明に係るスイッチ装置の一例を示す、正面図、底面図及び右側面図
【図２】上記スイッチ装置の分解斜視図
【図３】スイッチ本体の分解斜視図
【図４】表示体の構成を示す分解斜視図
【図５】（ａ）（ｂ）はスイッチ本体の正面図及び要部縦断面図
【図６】（ａ）（ｂ）（ｃ）は蓋体の背面図、Ｂ−Ｂ線断面図及びＣ−Ｃ線断面図
【図７】（ａ）（ｂ）は操作板の一例を示す正面側斜視図及び背面側斜視図
【図８】上記操作板及び構成部品の正面図、背面図及び中央縦断面図
【図９】図１（ｂ）のＸ−Ｘ線断面図
【図１０】図１（ｃ）のＹ−Ｙ線断面図
【図１１】（ａ）〜（ｅ）はスイッチ装置の作動態様を説明する動作説明図
【図１２】（ａ）〜（ｆ）は転換子の作動状態を説明するスイッチ本体の要部断面図
【図１３】（ａ）（ｂ）は表示体と発光制御部との関係を示す要部断面図
【図１４】（ａ）（ｂ）はスイッチ装置の他の例を説明する正面図
【図１５】透光体の他の例を示す斜視図
【図１６】（ａ）（ｂ）は上記他の例の透光体を有する表示体と発光体との関係を示す要部断面図
【符号の説明】
１  スイッチ本体
２  取付枠
４  プレート
５  操作板
７  表示体
３０  作動子
３１  転換子
３２  中立保持手段
４５  押圧受突部
７９  フード（発光表示部）
８４  傾動軸（傾動軸心）
８６  透光体（発光制御部）
１１６  揺動軸受（揺動軸心）
１２０  スライドロック体（操作防止機構）
１２５  絶縁取付枠
１２６  補強枠
Ａ  スイッチ装置
Ｂ  開閉機構
Ｃ  傾動反転表示機構
【図１】
0004237890.tif 000002
【図２】
0004237890.tif 000003
【図３】
0004237890.tif 000004
【図４】
0004237890.tif 000005
【図５】
0004237890.tif 000006
【図６】
0004237890.tif 000007
【図７】
0004237890.tif 000008
【図８】
0004237890.tif 000009
【図９】
0004237890.tif 000010
【図１０】
0004237890.tif 000011
【図１１】
0004237890.tif 000012
【図１２】
0004237890.tif 000013
【図１３】
0004237890.tif 000014
【図１４】
0004237890.tif 000015
【図１５】
0004237890.tif 000016
【図１６】
0004237890.tif 000017